(57)【特許請求の範囲】
【請求項１】
略垂直に立設された支持部とその下部に設けた取付部とからなる下部材Ｘと、換気用棟瓦を取り付けるための固定部を備えた上部材Ｙとを、適宜間隔を置いて接続部材Ｚで連結してなり、隣接する接続部材と接続部材との間に形成される空間部を換気路とすることを特徴とする棟換気装置。
【請求項２】
換気用棟瓦を取り付けるための固定部が少なくとも２層の積層構造からなる請求項１記載の棟換気装置。
【請求項３】
換気用棟瓦を取り付けるための固定部の両側に斜降した突縁部を延設した請求項１又は２記載の棟換気装置。
【請求項４】
斜降した突縁部の端部から、換気口を覆うように壁部を垂設した請求項３記載の棟換気装置。
【請求項５】
壁部内側に制御壁を設けた請求項４記載の棟換気装置。
【請求項６】
接続部材の下方に凹部を設け、該凹部に支持部を嵌合してなる請求項１〜５のいずれか１項に記載の棟換気装置。
【請求項７】
支持部に凹凸面を設けた請求項１〜６のいずれか１項に記載の棟換気装置。
【請求項８】
アルミ又は樹脂を押出成形したものである請求項１〜７のいずれか１項に記載の棟換気装置。
【発明の詳細な説明】
【０００１】
【発明の属する技術分野】
本発明は、一般住宅をはじめとする瓦葺き屋根の建物に供する棟換気装置に関する。
【０００２】
【従来の技術】
従来の棟換気構造としては、図１０に示したものが提案されている。図１０において、野地板、ルーフィング等の屋根下地材４１の上に設けられた桟木４６に、一端が引っ掛かるようにして屋根瓦４３が敷設される。屋根下地材４１の頂上には室内空気が上昇気流となって通過するように棟開口部４２が設けられ、この棟開口部４２の上部には、棟木４６を支持すると共に室内空気を換気する棟木支持兼換気構造体４７が、その脚部４８によって屋根下地材４１に釘（図示せず）などによって固定されている。また、この棟木支持兼換気構造体４８には、空気が通過する換気孔４９Ａ、４９Ｂ、４９Ｃが穿設されている。
【０００３】
そして、棟瓦５０はパッキン付き固定ネジ５１によって棟木４６に固定される一方、棟瓦５０の傾斜下面に沿ってこの下面と通路を形成するように通路形成部材５２が配設され、その上端部５３は釘等（図示せず）によって棟木４６に固定される。また、下端部５４は密封部材として屋根瓦４３の上に適宜盛土した葺土５５に着接すると共に棟瓦５０の先端部５６に当接するように配設される。そして、通路形成部材５２にも空気が通過する換気孔４９Ｄ、４９Ｅが穿設される。このような構成において、熱気となって下から上昇してくる室内空気は、図１０に矢印で示したように、棟開口部４２、各換気孔４９Ａ、４９Ｂ、４９Ｃ、４９Ｄ、４９Ｅを順次通って、最後は棟瓦の先端部５６を包みこむようにして外部に排出される。
【０００４】
【発明が解決しようとする課題】
しかしながら、上記した棟換気構造においては、単純な山型形状の棟瓦５０の下に換気路を形成しているために、瓦素材とは異質の、例えば金属板製による通路形成部材５２が必要であり、また、これを固定する手段として棟木４６が必要であった。その結果、構造、施工工事が複雑になり、いきおいコストアップとならざるを得ないという問題を包含していた。また、換気路を通して雨水が入り易く、たとえ室内に入らなくても屋根下地材を濡らし、腐らせたりして耐久性を低下させる恐れがあり、さらに、このような形態の棟換気構造では寄棟作りの屋根等の隅棟部分には雨水が入り易いことから適用しにくく、その分、換気量が低下するという課題があった。
【０００５】
本発明は、上記課題に鑑み、簡単な構造で施工作業性が容易であり、十分な換気量が得られ、また寄棟作りの屋根にも容易に適用出来る棟換気装置を安価に提供することを目的とする。
【０００６】
【課題を解決するための手段】
上記目的を達成するために、本発明は、略垂直に立設された支持部とその下部に設けた取付部とからなる下部材Ｘと、換気用棟瓦を取り付けるための固定部を備えた上部材Ｙとを、適宜間隔を置いて接続部材Ｚで連結してなり、隣接する接続部材と接続部材との間に形成される空間部を換気路とすることを特徴とする棟換気装置を内容とする（請求項１）。
【０００７】
好ましい態様としての請求項２は、換気用棟瓦を取り付けるための固定部が少なくとも２層の積層構造からなる請求項１記載の棟換気装置である。
【０００８】
好ましい態様としての請求項３は、換気用棟瓦を取り付けるための固定部の両側に斜降した突縁部を延設した請求項１又は２記載の棟換気装置である。
【０００９】
好ましい態様としての請求項４は、斜降した突縁部の端部から、換気口を覆うように壁部を垂設した請求項３記載の棟換気装置である。
【００１０】
好ましい態様としての請求項５は、壁部内側に制御壁を設けた請求項４記載の棟換気装置である。
【００１１】
好ましい態様としての請求項６は、接続部材の下方に凹部を設け、該凹部に支持部を嵌合してなる請求項１〜５のいずれか１項に記載の棟換気装置である。
【００１２】
好ましい態様としての請求項７は、支持部に凹凸面を設けた請求項１〜６のいずれか１項に記載の棟換気装置である。
【００１３】
好ましい態様としての請求項８は、アルミ又は樹脂を押出成形したものである請求項１〜７のいずれか１項に記載の棟換気装置である。
【００１４】
【作用】
本発明の棟換気装置は、略垂直に立設された支持部とその下部に設けた取付部とからなる下部材Ｘと、換気用棟瓦を取り付けるための固定部を備えた上部材Ｙとを、適宜間隔を置いて接続部材Ｚで連結してなり、隣接する接続部材と接続部材との間に形成される空間部を換気路とするため、部材に換気口を形成する必要がなく、下部材Ｘ、上部材Ｙ、接続部材Ｚをそれぞれ押出成形で製造することができるので、大幅なコストダウンが図られる。また、下部材Ｘ及び上部材Ｙを接続部材Ｚにより嵌合してなるので、強度も充分である。
【００１５】
更に、本発明の棟換気装置は、棟木を必要とすることなく、換気用棟瓦を上記棟換気装置の固定部に直接固定するので、施工作業性は飛躍的に向上し、安価な棟換気構造を提供することができる。
【００１６】
【発明の実施の形態】
以下、まず本発明の棟換気装置の実施例を、ついで、本発明の棟換気装置とともに用いられ棟換気構造を形成するために用いられる換気用棟瓦の参考例を、更に、本発明の棟換気装置を換気用棟瓦に取り付けた棟換気構造の参考例を、それぞれ図面に基づいて説明するが、本発明はこれらによりなんら限定されるものではない。
【００１７】
実施例１
実施例１の棟換気装置Ａは、図１、図２に示すように、略垂直に立設された支持部８とその下部に、該棟換気装置Ａを屋根下地材に取り付けるために設けた取付部４とからなる下部材Ｘと、換気用棟瓦の固定部１を備えた上部材Ｙとを、適宜間隔を置いて向かい合う係合壁１６の略中間部を接続部１７で接合したＨ形状の接続部材Ｚで連結してなり、矢示したように、隣接する接続部材Ｚと接続部材Ｚとの間に形成される空間部を利用して換気路Ｐが形成される。接続部材Ｚを配設する間隔は特に制限されないが、例えば、１０〜５０cm程度から選ぶことができる。
この様に、下部材Ｘ、上部材Ｙ、接続部材Ｚからなる棟換気装置Ａは、部材に換気口を加工して形成する必要がなく、したがって、下部材Ｘ、上部材Ｙ、接続部材Ｚを押出成形で製造することができるので、大幅なコストダウンが図られる。また、下部材Ｘ及び上部材Ｙを接続部材Ｚにより嵌合してなるので、強度も充分である。
【００１８】
実施例２
実施例２の棟換気装置Ａは、図３に示すように、上部材Ｙの換気用棟瓦の固定部１の両側に、斜降した突縁部６を延設した他は、実施例１に示した棟換気装置Ａと同じである。このように、換気用棟瓦の固定部１の両側に斜降した突縁部６を延設することにより、雨や風の侵入を効果的に防ぐことができる。
【００１９】
実施例３
実施例３の棟換気装置Ａは、図４に示すように、下部材Ｘは略垂直に立設された支持部８の外側中位部にＨ形状の接続部材Ｚの受け部９が設けられるとともに、該受け部９より上部の外側に凹凸面１０が設けられている。また、上部材Ｙは頂部内側に係合部１１が設けられるとともに、斜降した突縁部６の端部から、隣接する接続部材Ｚと接続部材Ｚとの間に形成される空間部からなる換気路Ｐ１を覆うように壁部１２が垂設され、更に該壁部１２の下端に内側に曲折した小壁１３が延設されている。更に、接続部材Ｚは、上端には上部材Ｙの係合部１１と係合する係合部１４が設けられるとともに、下方に係合壁１６、１６ａにより形成される凹部１５が設けられている。そして、接続部材Ｚの係合部１４は上部材Ｙの係合部１１と係合され、また、接続部材Ｚの下方の凹部１５に下部材Ｘの凹凸面１０を有する上部が圧入された構成からなる。
かかる構成の棟換気装置Ａは、接続部材Ｚと上部材Ｙとは、係合部１４と係合部１１とが係合すことにより、一方、接続部材Ｚと下部材Ｘとは、凹凸面１０を有する上部が凹部１５に圧入することにより、それぞれ物理的に一体化されている。かかる構成の棟換気装置Ａは、矢示したようなジグザグ状に換気路Ｐが形成され、外部からの雨や風の侵入を一層効果的に防ぐことができる。なお、本例において、接続部材Ｚの受け部９は省略してもよく、また、凹凸面１０は内側に設けても効果はかわらない。
【００２０】
実施例４
実施例４の棟換気装置Ａは、図５に示すように、接続部材Ｚの凹部１５を形成する内側の両係合壁１６ａを伸長し、その下端部で接続部１８を介して接続し、略中間部の接続部１７とで略矩形状の構造体とするとともに、上部材Ｙの壁部１２に制御壁１９を設けた他は実施例３の棟換気構造Ａと同じである。
上記の如く、接続部材Ｚの下部材Ｘとの係合部分を略矩形状の構造体とすることにより強度が大巾に向上し、また、制御壁１９を設けることにより、矢示したように実施例３の場合に比べて一層ジグザグ状の換気路Ｐが形成され、外部からの雨や風の侵入を尚一層効果的に防ぐことができる。
【００２１】
参考例１
本発明の棟換気装置とともに用いられ棟換気構造を形成するのに好適な換気用棟瓦について説明する。図６（ａ）は、棟瓦ユニットが連接された状態を示す側面図、図６（ｂ）は、その側断面図、図６（ｃ）は、Ｘ−Ｘ線断面図、図６（ｄ）は、Ｙ−Ｙ線断面図、また図６（ｅ）は、棟瓦ユニットの斜視図である。
【００２２】
図６（ｂ）に示したように、棟瓦ユニット２１は内部材２２と該内部材２２を覆い得る外部材２４とからなり、内部材２２には２個の上向きの制御突起２３が設けられ、外部材２４には１個の下向きの制御突起２３が設けられ、一の棟瓦ユニット２１の内部材２２を、他の棟瓦ユニット２１の外部材２４が覆うように重合することにより連接し、外部材２４と内部材２２との間にジグザグ状の換気路２５を形成している。換気路２５の幅は換気用棟瓦の形状や大きさにより一概に規定できないが、通常２〜３０ｍｍ、好ましくは５〜１５ｍｍ程度である。この場合、換気用棟瓦の１ｍ当りの換気口面積は、約５０〜１５０ｃｍ2 ／ｍとなる。
【００２３】
そして、下方（室内）からの上昇気流はそれぞれのジグザグ状の換気路２５を通過し換気排出口２６から外部へ排出される。一方、この換気排出口２６から雨水が侵入した場合は内部材２２に設けた上向きの２個の制御突起２３、外部材２４に設けた１個の下向きの制御突起２３とにより阻止され、図６（ｂ）、（ｅ）から明らかなように、内部材２２と外部材２４との接合している接合壁２７と内部材２２の上向きの制御突起２３とで形成される傾斜溝２８、あるいは上向きの制御突起２３間で形成される傾斜溝２８にそって流下し外部へ排出される。
棟瓦ユニットは、通常の粘土や陶器の他、セメント・コンクリート（繊維強化）、スレート、アルミやステンレス等の金属、不燃性・難燃性プラスチック等から作られるが、これらに限定されない。
なお、このように連接された棟瓦ユニット２１の左右端部の棟瓦としては、図６（ｂ）に示したように左右別々の異なった形状の端棟瓦２９が用いられるが、適当な形状の金属製や不燃性・難燃性プラスチック製のものをエンドキャップとして用いることもできる。
【００２４】
参考例２
図７、図８により、上記参考例１で示した換気用棟瓦及び実施例３で示した棟換気装置を用いた棟換気構造について説明する。
図７は棟換気構造の局部断面図であり、切妻状に形成された野地板、ルーフィング等の屋根下地材４１の頂部には棟開口部４２が設けられ、この棟開口部４２を跨ぐようにして実施例３で示した棟換気装置Ａが配設され、その取付部４は屋根下地材４１に釘（図示せず）等によって固定される。
また、屋根下地材４１には屋根瓦４３が敷設され、この後、屋根瓦４３の略上端部に葺土等の密封部材（ＥＰＤＭ等のシール材）４４を適宜配置しながら、この上に棟瓦ユニット２１を順次配設するとともに、棟瓦ユニット２１の頂部からシール材（開示せず）を介してビス４５を差し込み棟換気装置Ａの固定部１に固定する。
【００２５】
なお、棟瓦ユニット２１を重合・配設する際、前記した換気路形成用スペーサーを設けていない棟瓦を使用する場合は、図８に示すように、排気排出口２６となる間隙に所定寸法のスペーサー３１を介装しながら重合すれば効率良く施工できる。
【００２６】
上記構成の棟換気構造においては、室内空気は棟開口部４２、棟換気装置Ａ内へと進み、隣接する該装置Ａ間に形成される換気口Ｐ１を通過し、そのまま上昇気流となって棟瓦ユニット２１の内部材２２と外部材２４で形成される換気路２５を通過し、換気用棟瓦２１の換気排出口２６から排出される。
【００２７】
参考例３
参考例３の棟換気構造は、図９に示すように、参考例２の棟換気構造において、棟換気装置Ａに代えて、実施例４で示した棟換気装置Ａを用いた他は、参考例２と同じである。
上記構成の棟換気構造においては、室内空気は棟開口部４２、棟換気装置Ａ内へと進み、隣接する該装置Ａ間に形成される換気口Ｐ１を通過し、参考例２と同様に、換気用棟瓦２１の換気排出口２６から排出される。
【００２８】
【発明の効果】
叙上のように、本発明の棟換気装置は、隣接する接続部材と接続部材との間に形成される空間部を換気路とするため、部材に換気口を形成する必要がなく、下部材Ｘ、門型部材Ｙ、接続部材Ｚを押出成形で製造することができるので、大幅なコストダウンが図られる。また、下部材Ｘ及び上部材Ｙを接続部材Ｚにより嵌合してなるので、強度も充分である。
【００２９】
更に、本発明の棟換気装置は、棟木を必要とすることなく、換気用棟瓦を上記棟換気装置の固定部に直接固定するので、施工作業性は飛躍的に向上し、安価な棟換気構造を提供することができる。
【図面の簡単な説明】
【図１】  棟換気装置の実施例を示す断面図である。
【図２】  図１のＷ−Ｗ線断面図である。
【図３】  棟換気装置の他の実施例を示す断面図である。
【図４】  棟換気装置の更に他の実施例を示す断面図である。
【図５】  棟換気装置の更に他の実施例を示す断面図である。
【図６】（ａ）  棟瓦ユニットの一例を示し、該ユニットが連接された状態を示す外観図である。
（ｂ）  同棟瓦ユニット側断面図である。
（ｃ）  図６（ｂ）のＹ−Ｙ線断面図である。
（ｄ）  図６（ｂ）のＺ−Ｚ線断面図である。
（ｅ）  棟瓦ユニットの斜視図である。
【図７】    棟換気構造の参考例を示す断面図である。
【図８】    図７の要部側面図である。
【図９】    棟換気構造の他の参考例を示す断面図である。
【図１０】  従来の棟換気構造の断面図である。
【符号の説明】
１  固定部
４  取付部
５  固定手段用孔
６  突縁部
８  支持部
９  受け部
１０  凹凸面
１１  係合部
１２  壁部
１３  小壁
１４  係合部
１５  凹部
１６、１６ａ  係合壁
１７、１８  接続部
２１  棟瓦ユニット
２２  内部材
２３  制御突起
２４  外部材
２５  換気路
２６  換気排出口
２７  接合壁
２８  傾斜溝
２９  端棟瓦
３１  スペーサー
４１  屋根下地材
４２  棟開口部
４３  屋根瓦
４４  密封部材
４５  ビス
４６  棟木
４７  棟木支持兼換気構造体
４８  脚部
４９Ａ、４９Ｂ、４９Ｃ、４９Ｄ、４９Ｅ  換気口
５０  棟瓦
５１  パッキン付き固定ネジ
５２  通路形成部材
５３  上端部
５４  下端部
５５  葺土
５６  先端部
【図１】
0003682018.tif 000002
【図２】
0003682018.tif 000003
【図３】
0003682018.tif 000004
【図４】
0003682018.tif 000005
【図５】
0003682018.tif 000006
【図６】
0003682018.tif 000007
【図７】
0003682018.tif 000008
【図８】
0003682018.tif 000009
【図９】
0003682018.tif 000010
【図１０】
0003682018.tif 000011